(57)【要約】  本発明は、アクティブ状態にあるユーザ装置を第１の周波数の第１のセルから第１の周波数と異なる第２の周波数の第２のセルにハンドオーバするハンドオーバ手順を命令するための、ノードにおける方法に関し、第３の周波数の第３のセルに関するデータを受信し（８２、９２）、受信したデータに基づき、第３のセルはソフト・ハンドオーバを実行できないセルであるかを判定し（８４、９４）、第３のセルがソフト・ハンドオーバを実行できないセルである場合は、第３のセルとの干渉を防ぐため、ユーザ装置を第２のセルにハンドオーバするハンドオーバ手順を命令する（８６、９７）。
2011511594.tif 000002
【特許請求の範囲】
【請求項１】
アクティブ状態にあるユーザ装置を第１の周波数の第１のセルから前記第１の周波数とは異なる第２の周波数の第２のセルにハンドオーバするハンドオーバ手順を命令するための、ノードにおける方法であって、
前記ユーザ装置から、前記第１の周波数と同一の第３の周波数の第３のセルに関するデータを受信するステップ（８２、９２）と、
前記受信したデータに基づいて、前記第３のセルがソフト・ハンドオーバを実行できないセルであるかを判定するステップ（８４，９４）と、
前記第３のセルがソフト・ハンドオーバを実行できないセルである場合は、前記第３のセルとの干渉を防ぐため、前記ユーザ装置を前記第２のセルにハンドオーバするハンドオーバ手順を命令するステップ（８６、９７）と、
を有することを特徴とする方法。
【請求項２】
前記第３のセルは、前記ユーザ装置がアクセスすることを許可されていないセルであるため、ソフト・ハンドオーバが実行できないことを特徴とする請求項１に記載の方法。
【請求項３】
前記ハンドオーバ手順を命令するステップは、前記ユーザ装置が前記第３のセルの所定範囲内にあるかを判定するステップ（９５）を更に有することを特徴とする請求項１又は２に記載の方法。
【請求項４】
前記受信したデータは、前記第３のセルからの信号の信号強度／品質の指示を含み、
前記ユーザ装置が前記第３のセルの所定範囲内にあるかを判定するステップは、前記受信した信号強度／品質を信号強度／品質の所定のしきい値と比較し、該受信した信号強度／品質が前記所定のしきい値より高いかを判定するステップを含む
ことを特徴とする請求項３に記載の方法。
【請求項５】
前記受信したデータは、前記第３のセルのタイプ又は識別子を指示するデータを含むことを特徴とする請求項１乃至４のいずれか１項に記載の方法。
【請求項６】
前記受信したデータはスクランブル・コードを含み、該スクランブル・コードは、スクランブル・コードの所定の監視セットと比較され、特定のスクランブル・コードが設定され、前記ユーザ装置が該特定のスクランブル・コードを用いてセルにアクセスすることが禁止されていることを指示することを特徴とする請求項１乃至５のいずれか１項に記載の方法。
【請求項７】
前記ハンドオーバ手順を命令するステップは、ハンドオーバ・アルゴリズムを、物理チャネル再構成、無線ベアラ確立、無線ベアラ再構成、無線ベアラ解放、トランスポート・チャネル再構成のうちの少なくともいずれかを含む周波数間ハンドオーバ・アルゴリズムに変更する命令を生成するステップを含むことを特徴とする請求項１乃至６のいずれか１項に記載の方法。
【請求項８】
前記ハンドオーバ手順を命令するステップは、ハンドオーバ・アルゴリズムを無線アクセス技術間ハンドオーバ・アルゴリズムに変更する命令を生成するステップを含むことを特徴とする請求項１乃至６のいずれか１項に記載の方法。
【請求項９】
前記ハンドオーバ手順を命令するステップは、コア・ネットワーク及びユーザ装置の少なくともいずれか一方に命令を送信するステップ（９８）を含むことを特徴とする請求項１乃至８のいずれか１項に記載の方法。
【請求項１０】
前記無線通信装置をハンドオーバする前に前記第２のセルの測定を実行することにより、前記第２のセルを評価するステップを更に有することを特徴とする請求項１乃至９のいずれか１項に記載の方法。
【請求項１１】
通信ネットワークにおいて通信を行うノード（５００）であって、
ユーザ装置から第３のセルに関するデータを受信する受信ユニット（５０３）と、
前記受信したデータに基づいて、前記第３のセルが前記ユーザ装置のソフト・ハンドオーバを実行できないセルであるかを判定し、前記第３のセルが前記ユーザ装置のソフト・ハンドオーバを実行できないセルである場合は、前記第３のセルとの干渉を防ぐため、前記ユーザ装置の、第１の周波数の現在の第１のセルから前記第１の周波数と異なる第２の周波数の第２のセルへのハンドオーバを実行する命令を生成する制御ユニット（５０１）と、
前記ハンドオーバを実行するための前記命令を送信する送信ユニット（５０５、５０９）と、
を備えることを特徴とするノード。
【請求項１２】
前記命令は前記ユーザ装置に送信されることを特徴とする請求項１１に記載のノード。
【請求項１３】
前記命令はコア・ネットワークに送信されることを特徴とする請求項１１に記載のノード。
【請求項１４】
前記制御ユニット（５０１）は、前記セルは前記ユーザ装置が許可されていないセルであり、従って前記ユーザ装置のソフト・ハンドオーバを実行できないセルであると決定することを特徴とする請求項１１乃至１３のいずれか１項に記載のノード。
【請求項１５】
前記受信したデータは、前記第３のセルのタイプ又は識別子を指示するデータを含み、
前記制御ユニット（５０１）は、前記データに基づいて、前記ユーザ装置は前記第３のセルにアクセスすることが禁止され、従って前記第３のセルは前記ユーザ装置のソフト・ハンドオーバを実行できないセルであると決定する
ことを特徴とする請求項１１乃至１４のいずれか１項に記載のノード。
【請求項１６】
前記受信したデータはスクランブル・コードを含み、
前記制御ユニット（５０１）は、前記スクランブル・コードを、前記ノードのメモリ（５０７）に記憶されたリストのスクランブル・コードの所定の監視セットと比較し、前記リストにおける少なくとも１つのスクランブル・コードを設定して、前記無線ユーザ装置が前記少なくとも１つのスクランブル・コードを使用するセルと、前記無線ユーザ装置のソフト・ハンドオーバを実行できないセルとにアクセスすることが禁止されていることを指示する
ことを特徴とする請求項１１乃至１５のいずれか１項に記載のノード。
【請求項１７】
前記制御ユニット（５０１）は、更に、前記ユーザ装置が前記第３のセル（１０）の所定範囲内にあるかを判定し、前記ユーザ装置が前記第３のセル（１０）の前記所定範囲内にある場合に、ハンドオーバ命令の生成をトリガすることを特徴とする請求項１１乃至１６のいずれか１項に記載のノード。
【請求項１８】
前記受信したデータは、前記第３のセルのユーザ装置で測定された測定レポートを含み、
前記制御ユニット（５０１）は、前記受信した信号強度を信号強度の所定のしきい値と比較することにより、前記ユーザ装置が前記第３のセルの近傍にあるかを判定し、前記受信した信号強度が前記所定のしきい値よりも強い場合、前記ユーザ装置が前記第３のセルの近傍にあると決定する
ことを特徴とする請求項１１乃至１７のいずれか１項に記載のノード。
【請求項１９】
前記制御ユニット（５０１）は、周波数間ハンドオーバを命じる命令を生成することを特徴とする請求項１１乃至１８のいずれか１項に記載のノード。
【請求項２０】
前記制御ユニット（５０１）は、無線アクセス技術間ハンドオーバを命じる命令を生成することを特徴とする請求項１１乃至１９のいずれか１項に記載のノード。
【請求項２１】
前記制御ユニット（５０１）は、前記ハンドオーバを命令する前に前記第２のセルの測定値を分析することにより前記第２のセルを評価することを特徴とする請求項１１乃至２０のいずれか１項に記載のノード。
【請求項２２】
前記ノード（５００）は基地局であることを特徴とする請求項１１乃至２１のいずれか１項に記載のノード。
【請求項２３】
前記ノード（５００）は基地局コントローラ・ユニットであることを特徴とする請求項１１乃至２１のいずれか１項に記載のノード。
【請求項２４】
前記ノード（５００）は基地局及び基地局コントローラの複合機であることを特徴とする請求項１１乃至２１のいずれか１項に記載のノード。
【発明の詳細な説明】
【技術分野】
【０００１】
本発明は通信ネットワークにおける方法及びノードに関し、具体的には、アクティブ状態にあるユーザ装置を第１の周波数の第１のセルから第２の周波数の第２のセルにハンドオーバするハンドオーバ手順を命令するための、ノードにおける方法に関する。
【背景技術】
【０００２】
３ＧＰＰ、第３世代パートナーシップ・プロジェクトにおいて、ＷＣＤＭＡ、広帯域符号分割多元接続ではフェムト・ノードＢ（Femto NodeB）、又はＬＴＥ、ロング・ターム・エボリューションではフェムトｅＮＢ（Ｅ−ＵＴＲＡＮ（次世代ＵＭＴＳ地上無線アクセス・ネットワーク）ノードＢ）と一般的に呼ばれる、小規模基地局、アクセス・ポイント基地局を使用する限られた数のユーザに、家庭及び／又は小さな領域のサービス圏を提供する可能性を規定し調査する作業が、いくつかの通信事業者によって進行中である。その他の一般的名称は、ＷＣＤＭＡではＨＮＢ（ホーム・ノードＢ）、ＬＴＥではＨｅＮＢ（ホームｅノードＢ）である。
【０００３】
このフェムト・ノードは、エンド・ユーザに対して通常のＬＴＥ／ＷＣＤＭＡサービス圏、いわゆるフェムト・セルを提供し、ある種のＩＰに基づく送信を使用するネットワークに接続できる。一つの例は、ネットワークにフェムト・ノードを接続するため、固定ブロードバンド・アクセス（例えば、ｘＤＳＬ又はケーブル）を使用することである。
【０００４】
フェムト・レイヤと従来のセルラ配置レイヤ（マクロ・セル、マイクロ・セル及びピコ・セルのいずれを構成する場合でも、本明細書では、「マクロ」レイヤと呼ぶ。）との間で利用可能な周波数を使用するため、幾つかの方法がある。以下のような、関連のある３つのチャネル配置シナリオ（ＣＤＳ）がある。
・ＣＤＳ１：フェムト・ノードＢとマクロ・ノードＢの両方で１つの周波数を使用する。このＣＤＳには、動作を困難にする幾つかの厳しい干渉問題がある。
・ＣＤＳ２：フェムト・ノードＢのみが１つの専用周波数を使用し、マクロ・ノードＢのみが（少なくとも）もう１つの周波数を使用する。このＣＤＳは、技術的な議論のみを考慮する場合には、推奨し得るであろう。しかしながら、主に経済的理由のため、通信事業者がフェムト・レイヤに全周波数を進んで専用することはまずありえない。
・ＣＤＳ３：フェムト・ノードＢとマクロ・ノードＢの両方で１つの周波数を使用し、マクロ・ノードＢのみで（少なくとも）もう１つの周波数を使用する。
【発明の概要】
【発明が解決しようとする課題】
【０００５】
ＣＤＳ３は、配置に一般的な方法であると期待される。しかしながら、もしＣＤＳ３により周波数を使用する場合、状況によっては干渉が起こるであろう。
【０００６】
少数の第１スクランブル・コード（ＰＳＣ）、例えば、１０個のコードをフェムト・レイヤに配分してもよい。マクロ・レイヤのセル隣接リストでこれらのＰＳＣを構成し、それらのアイドル状態のセル選択の間、そして監視し測定すべきであるが、可能性のあるＨＯ候補として、マクロ・レイヤのユーザ装置ＵＥにシグナリングする。開始時に、これらのＰＳＣの一つを各フェムト・ノードＢに自動的に割り当てる。
【０００７】
通常のマクロのみの場合（即ち、フェムト・セルが無いネットワーク）では、マクロＵＥを制御する在圏ＲＮＣは、ソフト・ハンドオーバを実行するよう、即ち、検出セルを制御する新しい基地局と通信できるよう、試行するであろう。しかしながら、マクロ・セルとフェムト・セルとの間のハンドオーバはサポートするのに困難であり、従って利用できそうでない。この困難は、期待される大きなフェムト・セル数と、目標のフェムト・セルにアドレスするのを困難にする隣接リストの空間の制限とに関係している。更に、フェムト・セルは、許容されるユーザに関して制限する、即ち、アクセス制御すると想定される。
【０００８】
従って、マクロＵＥがマクロからフェムト・セルにソフト・ハンドオーバを実行したい場合、かなりの干渉が起こる可能性がある。マクロＵＥの位置に依存して、このことは、干渉を受けたフェムト・ノードＢに対して非常に劣悪な性能をもたらす可能性がある。
【０００９】
本発明の目的は、同じ周波数のセル間での無線通信装置からの干渉を削減する方法を提供することである。
【課題を解決するための手段】
【００１０】
アクティブ状態にあるユーザ装置を第１の周波数の第１のセルから前記第１の周波数とは異なる第２の周波数の第２のセルにハンドオーバするハンドオーバ手順を命令するための、ノードにおける方法が提供される。本方法は、ユーザ装置から、前記第１の周波数と同一の第３の周波数の第３のセルに関するデータを受信するステップ（８２、９２）と、前記受信したデータに基づいて、前記第３のセルがソフト・ハンドオーバを実行できないセルであるかを判定するステップ（８４，９４）と、前記第３のセルがソフト・ハンドオーバを実行できないセルである場合は、前記第３のセルとの干渉を防ぐため、前記ユーザ装置を前記第２のセルにハンドオーバするハンドオーバ手順を命令するステップ（８６、９７）とを有する。
【００１１】
上記方法を実行するため、通信ネットワークにおいて通信を行うノードが提供される。本ノードは、ユーザ装置から第３のセルに関するデータを受信する受信ユニットを有する。本ノードは更に、前記受信したデータに基づいて、前記第３のセルが前記ユーザ装置のソフト・ハンドオーバを実行できないセルであるかを判定し、前記第３のセルが前記ユーザ装置のソフト・ハンドオーバを実行できないセルである場合は、前記第３のセルとの干渉を防ぐため、前記ユーザ装置の、第１の周波数の現在の第１のセルから前記第１の周波数と異なる第２の周波数の第２のセルへのハンドオーバを実行する命令を生成する制御ユニットを有する。本ノードは更に、前記ハンドオーバを実行するための前記命令を送信する送信ユニットを備える。
【００１２】
実施形態によれば、干渉セルが出現したらＵＥが直ちに別の周波数にハンドオーバされることを確実にするため、ハンドオーバ手順を変更して干渉を最小限にする手段が提供される。
【００１３】
実施形態は、ＵＥが第３のセルに余りにも近くにありハンドオーバが必要であるかを判定するために、第３のセルの信号強度測定が使用される例を開示する。
【００１４】
これにより、ＵＥはハンドオーバされず、自身のリンクの品質が改善するとともに、検出した第３のセルに対する干渉の発生が避けられる。
【図面の簡単な説明】
【００１５】
【図１】通信ネットワークの概観を示す図。
【図２】通信ネットワークにおけるシグナリング方法を示す図。
【図３】フラット・アーキテクチャのＬＴＥネットワーク又はＷＣＤＭＡネットワークの概観を示す図。
【図４】従来のＷＣＤＭＡネットワーク・アーキテクチャの概観を示す図。
【図５】無線通信装置をハンドオーバする方法のフローチャート。
【図６】基地局、ＲＮＣ、又は基地局及びＲＮＣの複合機などの電子通信装置の構成を示す図。
【図７】無線通信装置をハンドオーバする方法のフローチャート。
【発明を実施するための形態】
【００１６】
ここで、本発明の実施形態を示す添付の図面を参照して、本発明について詳しく説明する。ただし、本発明については、本明細書で説明する実施形態に限定されると解釈すべきでない。これらの実施形態は、この開示が徹底的で完全であるように提供されており、当業者には本発明の範囲を十分に伝えるであろう。同一の参照番号は全体を通して同じ要素を示す。
【００１７】
本明細書で使用するように、用語“備える(comprising, comprises)”は非制限的なものであって、一つ以上の特徴、整数、要素、ステップ、部品又は機能を含むが、一つ以上のその他の特徴、整数、要素、ステップ、部品、機能又はそれらのグループの存在又は追加を除外するものではない。
【００１８】
本明細書で使用するように、用語“及び／又は”には、一つ以上の関連する一覧の項目のいずれか又は全ての組み合わせを含む。
【００１９】
本明細書で使用する術語は、具体的な実施形態のみを説明する目的のためであり、本発明について制限することを意図していない。本明細書で使用するように、単数形“ａ”及び“ｔｈｅ”は、文脈が明らかに別様に示さない限り、複数形を同様に含むことを意図している。
【００２０】
別様に定めない限り、本明細書で使用する全ての用語（技術的及び科学的用語を含む）は、本発明が属する通常の一人の技術者が一般的に理解するものと同じ意味を持つ。更に納得されるであろうが、一般的に使用する辞書で定めるもののような用語は、関連のある技術の文脈におけるそれらの意味と一致するような意味を持つと解釈すべきである。
【００２１】
周知の機能又は構造については、簡潔及び／又は明確のため、詳細に説明しない場合がある。
【００２２】
本発明は、ハードウェア及び／又はソフトウェア（ファームウェア、常駐ソフトウェア、マイクロコードを含む）に実装されうる。これは通常、“回路”又は“モジュール”と本明細書でいう可能性がある。更に本発明は、命令実行システムにより、又はそれに接続して使用する媒体に実装する、コンピュータ使用可能又はコンピュータ読取可能なプログラム・コードを持つコンピュータ使用可能又はコンピュータ読取可能な記憶媒体上の、コンパレータ・プログラムの形式を取ってもよい。本文書の文脈では、コンピュータ使用可能又はコンピュータ読取可能な記憶媒体は、命令実行システム、装置又はデバイスが、又はそれらに接続して使用するため、プログラムを含み、記憶し、通信し、伝搬し又は移送できる任意の媒体であってもよい。
【００２３】
本発明による実施形態について、方法及び通信端末のブロック図及び／又は動作図を参照して説明する。この点では、各ブロックは、特定の論理機能を実装するために一つ以上の実行可能な命令を備える、モジュール、セグメント、又はコードの一部を表わしてもよい。理解すべきであるが、ブロック図及び／又は動作図の各ブロックとブロック図及び／又は動作図におけるブロックの組み合わせとは、無線周波数、アナログ及び／又はデジタル・ハードウェア、及び／又はプログラム命令によって実装可能である。コントローラ及び／又はその他のプログム可能データ処理装置を介して実行する命令が、ブロック図及び／又は１個又は複数の動作ブロックで特定する機能／動作を実装する手段を生成するよう、一つ以上の汎用プロセッサ、専用プロセッサ、ＡＳＩＣ及び／又はその他のプログム可能データ処理装置を含む可能性のあるコントローラに、これらのプログラム命令を提供してもよい。代わりの幾つかの実装では、ブロックで注目する機能／動作は、動作図で注目する順序を超えて起こる可能性がある。例えば、含まれる機能／動作に依存して、連続して示される二個のブロックは、実際には、実質的に同時に実行してもよく、又は時には逆の順序で本ブロックを実行してもよい。
【００２４】
また、コンピュータ使用可能又はコンピュータ読取可能なメモリに記憶した命令が、フローチャート及び／又は１個又は複数のブロックで特定する機能を実装する命令を含む製品を生産するよう、コンピュータ又はその他のプログム可能データ処理装置に具体的な方法で機能することを指示する可能性のある、コンピュータ使用可能又はコンピュータ読取可能なメモリに、これらのコンピュータ・プログラム命令を記憶してもよい。
【００２５】
コンピュータ使用可能又はコンピュータ読取可能な媒体は、例えば、しかしこれに限定しないが、電子的な、磁気的な、光学的な、電磁気的な、赤外の、又は半導体のシステム、装置、デバイス、又は伝搬媒体であってもよい。コンピュータ読取可能媒体のもっと特定した例（限定的なリスト）には、以下のものが含まれる。ハードディスク、光学式記憶デバイス、インターネット又はイントラネットをサポートするような伝送媒体、磁気記憶デバイス、一つ以上の線を持つ電気的接続、ポータブルなコンピュータ・ディスケット、ランダム・アクセス・メモリ（ＲＡＭ）、読取専用メモリ（ＲＯＭ）、消去可能なプログラム可能読取専用メモリ（ＥＰＲＯＭ又はフラッシュ・メモリ）、光ファイバ及びコンパクト・ディスク読取専用メモリ（ＣＤ−ＲＯＭ）。
【００２６】
本発明の動作を実行するためのコンピュータ・プログラム・コードは、Ｊａｖａ（登録商標）、スモールトーク又はＣ＋＋のようなオブジェクト指向プログラム言語で記述されうる。しかしながら、また、本発明の動作を実行するためのコンピュータ・プログラム・コードは、Ｃ言語及び／又はより低レベルのアセンブラ言語のような従来の手続き型プログラム言語でも記述されうる。また、更に認識するであろうが、任意又は全てのプログラム・モジュールの機能は、個別ハードウェア部品、一つ以上の特定用途向け集積回路（ＡＳＩＣ）、又はプログラムしたデジタル信号プロセッサ又はマイクロコントローラを使用して実装されうる。
【００２７】
本明細書で使用するように、“ユーザ装置”は、例えば、セルラ・ネットワーク、衛星ネットワーク、無線ローカル・エリア・ネットワーク（ＷＬＡＮ）、及び／又はもう一つの通信端末と、無線インタフェースを介して通信信号を受信／送信するよう構成した端末を含むが、これに限定されない。
【００２８】
ユーザ装置を、本明細書では、“無線通信端末”又は“無線端末”と称してもよい。無線端末の例は、セルラ電話機インタフェース、ブルートゥース・インタフェース、無線ローカル・エリア・ネットワーク・インタフェース（例えば、８０２．１１）、もう一つのＲＦ通信インタフェース、及び／又は光学／赤外の通信インタフェースを含むことができる無線通信インタフェースを通じてデータを通信するよう構成した、セルラ電話機、携帯情報端末（ＰＤＡ）、ページャ、及び／又はコンピュータを含むが、これに限定されない。
【００２９】
本明細書で使用するように、“移動端末”は、乗り物（航空、海運、地上の）に搭載した、又は局所的及び／又は、地球上及び／又は宇宙の任意のその他の場所に分散した方法で動作するよう位置し及び／又は構成した、携帯型、可搬型であってもよい。
【００３０】
図１に、通信ネットワークの概観を示す。ネットワークは、第１の周波数の第１のセル２０と第２の周波数の第２のセル２５を備える第１の基地局５０を備える。更に、ネットワークは、第１の周波数と同じである第３の周波数の第３のセル１０を備える第２の基地局４０を備える。
【００３１】
第１のユーザ装置１は、アクセス制御を有する第３のセル１０内のセッションＳ１でアクティブである。第３の周波数は第３のセル１０に配分されている。第２のユーザ装置２は、第１の基地局５０に配分した第１の周波数の第１のセル２０内のセッションＳ２でアクティブである。第２のユーザ装置２が第３のセル１０により近接するよう移動するので、第３のセル１０からの無線信号はより強くなり、第２のユーザ装置２は、第１のセル２０から第３のセル１０へハンドオーバ動作を実行するよう望む。しかしながら、第３のセル１０はソフト・ハンドオーバを実行できないセル、例えば、アクセス制御を有するフェムト・セルであり、第２のユーザ装置２は第３のセル１０にアクセスすることを禁じられている。
【００３２】
ここで注意すべきであるが、ハンドオーバを実行できないので、第１のユーザ装置１のアクティブ・セッションＳ１は第２のユーザ装置２からの干渉Ｉにさらされるであろう。これを避けるため、第２のユーザ装置２は現在の周波数の第３のセルの近くに／そこにあるが、例えば、第２のユーザ装置２は第３のセルにアクセスすることが許されていないためソフト・ハンドオーバを実行できない、ということを決定するので、第２の無線ユーザ装置２は第２のセル２５にハンドオーバされるであろう。これは、例えば、ＲＮＣにおける第１のハンドオーバＨＯアルゴリズムを、無線アクセス技術間ハンドオーバＩＲＡＴＨＯ（Inter-Radio Access Technology HandOver）、周波数間ハンドオーバＩＦＨＯ（Inter-Frequency HandOver）などの、異なるハンドオーバ・アルゴリズムに変更する、ということを意味する。
【００３３】
本シナリオはＷＣＤＭＡフェムトに主として適用するが、また、ＬＴＥフェムトにも適用できる。ＧＳＭフェムト・ソリューションについては、良好なキャリア配分によって干渉問題を避けられるが、しかしながら、フェムト・レイヤに専用の周波数を配分できないなら、本シナリオはＧＳＭの場合にも適用してもよい。
【００３４】
図２に、マクロ・セルと呼ぶ通常のセル局と、フェムト・セルとよぶ干渉する小セルとを備える通信ネットワークにおける概略的シグナリング図を示す。図示の例では、フェムト・セルに第３の周波数と第１のＰＳＣ、例えばフェムト・レイヤのために設けられるＰＳＣ‘２００’とを配分する。理解すべきことであるが、その他のＰＳＣもまた、フェムト・レイヤに配分してもよく、異なるフェムト・セル間で再使用してもよい。しかしながら、全てのフェムト・セルは同じ第３の周波数を使用することができる。
【００３５】
フェムト・セルの位置でマクロ・サービス圏を提供するマクロ・セルにおけるアクティブな／接続した状態の隣接セル・リストの図示の例、ＰＳＣ‘２００’では、フェムト・レイヤのために設けられるＰＳＣを含むよう、マクロ・ネットワークを構成する。それ故に、マクロ・セルはＰＳＣの監視セットを有する。
【００３６】
マクロ・レイヤは二つの周波数、第１のセルには第１の周波数を使用し、第２のセルには第２の周波数を使用し、第２のＰＳＣ、例えばＰＳＣ‘４００’を使用するよう、フェムト・セルの位置のマクロ・セルを構成する。
【００３７】
ステップＳ１で、フェムト・セルの第１のユーザ装置ＵＥ１は、第３の周波数にあって第１のＰＳＣを有するフェムトＲＮＣ４２に接続するフェムト・ノードＢ４０へのセッションに従事する。ここで注意すべきであるが、フェムト・ノードＢ４０とＲＮＣ４２は、基地局とコントローラ・ユニットとを備える複合したフェムト・アクセス・ポイント４４であってもよい。
【００３８】
ステップＳ２で、マクロ・セルの第２のＵＥ２は、通信ネットワークのＲＮＣ５２に接続するセル・ネットワークのノードＢ５０へのセッションでアクティブである。ＵＥ２は、第２のＰＳＣを有するマクロ・セルで第１の周波数でアクティブである。マクロ・ＵＥのための監視セットの一部として、第１のＰＳＣを有するフェムト・セルを構成する。また注意すべきであるが、複合したコントローラ・ユニット５４は、ノードＢ５０及びコントローラ・ユニット５２を含む構成であってもよい。
【００３９】
第２のＵＥ２は、信号ＳＩに示すように、フェムト・セルの近くに接近し、フェムト・セルを検出する。
【００４０】
ステップＳ３０で、第２のＵＥ２は第１のＰＳＣにヒアリングを開始するので、第２のＵＥ２は、標準測定レポートにそれを含め、ＲＮＣ５２，即ち在圏ＲＮＣに本標準測定レポートを送信する。
【００４１】
ステップＳ３１で、ＲＮＣ５２は第２のＵＥ２より標準測定レポートを受信し、受信したレポートに基づいて、第２のＵＥ２が第１のＰＳＣを使用するセルを検出した／それに近いかを判定する。第１のＰＳＣはフェムト・セルにのみ使用されているので、ＲＮＣ５２は、レポートされたセルはフェムト・セルであり、本フェムト・セルにソフト・ハンドオーバを実行できない、ということを知る。
【００４２】
代わりに、ＩＦＨＯか、ＩＲＡＴＨＯによるもう一つの無線アクセス技術にハンドオーバすることを考慮する必要がある。
【００４３】
幾つかの実施形態では、ＩＦＨＯ、随意ではＩＲＡＴＨＯの測定を実行するよう、ＲＮＣ５２が第２のＵＥ２に命令する。これらの測定の間、適当な候補セルがその他の周波数に、随意ではＲＡＴに、あるかどうかを判定するために、ＵＥが、その他の周波数又は無線技術に関する情報を読み出す時間を得るよう、第２のＵＥ２に圧縮状態に入るように命令する必要があってもよい。もし候補セルが“十分に良好”であると分かれば、ＲＮＣ５２はＩＦＨＯ又はＩＲＡＴＨＯをトリガする。この方法で、新規の周波数、随意では新規の周波数の新規のＲＡＴで、マクロＵＥが十分に良好な品質を有してセッションを続けてもよいという可能性は、かなり高い。
【００４４】
理解すべきであるが、ＲＮＣ５２はまた、事前のＵＥ測定レポートなしにもう一つの周波数にＩＦＨＯ、いわゆるブラインドＩＦＨＯをトリガしてもよい。これは、その他の周波数は“十分に良好”であるだろうとネットワークが推定したときに、生じるようにすることができる。この推定は、新たな周波数の負荷条件などの、ネットワークがすでに知っていることに基づいて行うことができる。
【００４５】
ステップ３２’で、もう一つの周波数への変更は、ノードＢ／ＲＢＳ内ＩＦＨＯアルゴリズムに従ってもよい。しかしながら、随意では、もう一つのノードへのＩＦＨＯ又はＩＲＡＴＨＯは、ＷＣＤＭＡではＩｕインタフェース又はＬＴＥの場合にはＳ１インタフェースを使用するコア・ネットワークＣＮ１００を介して、標準手順を使用して起こる可能性がある。しかしながら、これは長引くハンドオーバ手順の原因になる可能性がある。
【００４６】
ステップ３２”で、もう一つの周波数への変更は、ノードＢ／ＲＢＳ内ＩＦＨＯアルゴリズムに続いてもよい。しかしながら、随意では、ＷＣＤＭＡではＩｕｒインタフェース又は標準手順を使用するＬＴＥの場合にはＸ２インタフェースを使用して、ノードＢ間で起こる可能性がある。しかしながら、これは長引くハンドオーバ手順の原因になる可能性がある。
【００４７】
ステップ３３で、使用する周波数を多くの方法で変更してもよい。ＩＦＨＯ又はＵＴＲＡＮにおける３ＧＰＰ  ２５．３３１で規定する‘ハード・ハンドオーバ’を、手順“物理チャネル再構成”を使用して通常実行するが、また、例えば、以下の手順の中の一つを使用して実行してもよい：“無線ベアラ確立”；無線ベアラ再構成；無線ベアラ解放及びトランスポート・チャネル再構成。図示の例では、物理チャネル再構成メッセージを使用している。
【００４８】
ステップＳ３４で、第２のＵＥ２は、例えば、物理チャネル再構成完了メッセージ等を送信して、変更を確認応答する。
【００４９】
ステップＳ４で、本セッションはもう一つの周波数に移動を完了し、フェムト・セルはアクティブ状態のマクロＵＥからの干渉がなく、同様にマクロＵＥはフェムトＵＥからの干渉がない。
【００５０】
それ故に、フェムト・シナリオにおける干渉が削減される。
【００５１】
述べたように、これはその他の無線技術にも同様に通用し、マクロ及びフェムト・レイヤ、即ち、ＣＤＳ１同じくＣＤＳ３シナリオが共有する１個の周波数のみを使用して、システムに実装できる可能性がある。
【００５２】
図３は、フラット・アーキテクチャのＬＴＥネットワーク又はＷＣＤＭＡネットワークの図式的概観を示す。本ネットワークは、異なる周波数、第１の周波数、周波数１と第２の周波数、周波数２とからなるマクロ基地局５０に配分した２個のセル２０及び２５を含み、フェムト・ノードＢ４４即ち複合ＲＢＳ／ＲＮＣと、マクロ・ノードＢ５４即ち複合ＲＢＳ／ＲＮＣからなる多くのフェムト・セルを有する。ＷＣＤＭＡではＩｕ、ＬＴＥではＳ１又はＵｐと類似の可能なプロトコルのようなプロトコルを使用して、ＩＰ型帰路Ｉ１を通じて集線ノード６０にフェムト・ノードＢ４４を接続する。Ｓ１又はＩｕのようなプロトコルを活用して、インタフェースＩ３を通じて集線ノードをコア・ネットワークに接続する。ＷＣＤＭＡではＩｕ又はＬＴＥではＳ１のようなプロトコルを使用しいて、帰路Ｉ２を通じてコア・ネットワークにマクロ・ノードＢ５４を接続し、帰路はＩＰ／ＡＴＭ型送信を活用してもよい。
【００５３】
動作では、マクロ・ノードＢ５４は第２のＵＥ２から信号測定値を受信し、第２のＵＥ２がフェムト・セル１０を検出したことを指示する。マクロ・ノードＢ５４は、フェムト・セル１０に接続した第１のＵＥ１との干渉を回避するため、第１の周波数セル２０から第２の周波数セル２５に第２のＵＥ２をハンドオーバする必要があると判断し、ハンドオーバを実行するよう命令する。この判断は、例えば、フェムト・レイヤに配分した特定のＰＳＣからフェムト・セル１０として目標セルを特定するということに基づく。
【００５４】
マクロ・ノードＢ５４は、ＵＥがアクセスすることが許されるセルのリストを有し、フェムト・セルがこのリストに表示されていない場合は、第２のＵＥ２はフェムト・セルにアクセスすることを許されていないと判断する。
【００５５】
或いは、マクロ・ノードＢ５４は、ＵＥがアクセスすることが許されていないセルのリストを有し、フェムト・セル１０がこのリストに表示されていない場合、第２のＵＥ２はフェムト・セルにアクセスすることを許されていないと判断する。例えば、許されていないセルは、フェムト・セルに配分したあるＰＳＣによって特定されうる。
【００５６】
図４は、従来のＷＣＤＭＡネットワーク・アーキテクチャの図式的概観を示す。本ネットワークは、各々にフェムト・セル１０を備える第１の周波数、周波数１の多くのフェムト・ノードＢ４０と、マクロ・ノードＢ５０に配分した異なる周波数、第１の周波数、周波数１と、第２の周波数、周波数２を持つ２個のセル２０及び２５を含むマクロ・ノードＢ５０とを備える。ＩＰ型送信の帰路ＩｕｂインタフェースＩ１１を通してＲＮＣ５２／４２にフェムト・ノードＢ４０を接続し、ＩＰ／ＡＴＭ型送信の帰路ＩｕｂインタフェースＩ１２を通して同じＲＮＣ５２／４２にマクロ・ノードＢ５０を接続してもよい。同様に、Ｉｕインタフェースを通してコア・ネットワーク１００にＲＮＣ５２／４２を接続する。
【００５７】
動作では、ＲＮＣ５２／４２は第２のＵＥ２からノードＢ５０を通して測定レポートを受信し、第２のＵＥ２がフェムト・セル１０を検出したことを指示する。ＲＮＣ５２／４２は、フェムト・セル１０に接続した第１のＵＥ１との干渉を回避するため、第１のセル２０から第２のセル２５に第２のＵＥ２をハンドオーバする必要があることを決定し、ハンドオーバを実行するよう命令する。本決定は、例えば、フェムト・レイヤに配分した特定のＰＳＣからフェムト・セル１０として目標セルを特定するということに基づく。
【００５８】
ＲＮＣ５２／４２は、ＵＥがアクセスすることが許されるセルのリストを有し、フェムト・セルがこのリストに表示されていない場合、第２のＵＥ２はフェムト・セルにアクセスすることが許されていないと判断する。
【００５９】
或いは、ＲＮＣ５２／４２は、ＵＥがアクセスすることが許されていないセルのリストを有し、フェムト・セル１０がこのリストに表示されていない場合、第２のＵＥ２はフェムト・セルにアクセスすることが許されていないと判断する。例えば、アクセスすることが許されていないセルは、フェムト・セルに配分したあるＰＳＣによって特定されうる。
【００６０】
図５に、第１の周波数の第１のセルから第２の周波数の第２のセルにユーザ装置をハンドオーバする方法のフローチャートを示す。
【００６１】
ステップ８２で、ＲＢＳ、ＲＮＣ、ＲＢＳ及びＲＮＣの複合機等の、ネットワークにおける電子通信ユニットは、第１のセルでアクティブ状態にあるユーザ装置から第３のセルに関するデータを受信する。
【００６２】
受信データは、ユーザ装置が検出した第３のセルの識別子又はタイプを指示するデータ、第３のセルの信号強度測定値等を含む。例では、本データは、第３のセルは制限のあるセルであることを指示するフェムト・レイヤに配分したＰＳＣを含む。
【００６３】
ステップ８４では、第３のセルがユーザ装置がアクセスすることを禁じられたセルであるか、すなわちソフト・ハンドオーバを実行できないセルであるかが判定される。フェムト・セル等のアクセス制御を有するセルに属するのはどのＰＳＣかを表示するＰＳＣのリストと、データからのＰＳＣとを比較することにより、これを判定することができる。
【００６４】
幾つかの実施形態では、電子的通信ユニットはユーザ装置がアクセスすることが許可されたセルのリストを有し、第３のセルがそのリストに表示されていない場合、ユーザ装置は第３のセルにアクセスすることが許可されないと判断される。
【００６５】
或いは、電子的通信ユニットは、ユーザ装置がアクセスすることが許可されないセルのリストを有し、第３のセルがそのリストに表示されている場合、ユーザ装置は第３のセルにアクセスすることが許可されないと判断される。許可されないセルは、例えば、フェムト・セルに配分したあるＰＳＣによって特定される。
【００６６】
ステップ８６で、ユーザ装置がアクセスすることが禁止されているセルのような、無線ユーザ装置のソフト・ハンドオーバを実行できないセルをユーザ装置が検出したという判定があれば、アクセスすることを禁止されたセル、即ち例ではフェムト・セルとは違うもう１つの周波数又はＲＡＴを使用する第２のセルにユーザ装置をハンドオーバすることを実行するようハンドオーバ手順に命令する。
【００６７】
幾つかの実施形態では、この判定は、ユーザ装置が余りにも第３のセルに近いかを判定する、追加のステップを有してもよい。受信データを分析することによりこれを判定してもよく、受信データはユーザ装置からの第３のセルの信号測定値を含み、本信号測定値は信号強度／品質の所定のしきい値を超える必要があるというように、受信データは少なくとも一つの基準を満たす必要がある。
【００６８】
図６に、ＲＮＣ等のノード５００の構成を示す。ノード５００は、第１の周波数の第１のセルにおける無線ユーザ装置から、直接的又は間接的にデータを受信するよう構成した、受信ユニット５０３、ＲＸを備える。受信データは、無線ユーザ装置が検出した、例えば、第３のセルの識別子の指示、第３のセルのセル・タイプの指示、第３のセルの信号測定レポート等を含む。
【００６９】
ノード５００は、メモリからのアプリケーションを制御ユニットで実行する場合、受信ユニット５０３ＲＸからの受信データに基づき、第３のセルに無線ユーザ装置のソフト・ハンドオーバが可能でなく、無線ユーザ装置が第３のセルと干渉する／そこから干渉を受ける可能性があるかを判定し、そのような可能性がある場合は、異なる周波数のセルに無線ユーザ装置のハンドオーバを命じる命令を生成するよう構成した、制御ユニット５０１、ＣＰＵを更に備える。ノード５００は、無線ユーザ装置へ命令を送信するよう構成した、送信ユニット５０５、ＴＸを更に備えてもよく、又は、ノード５００は、コア・ネットワーク・デバイスへ命令を送信するよう構成した、送信インタフェース５０９を備えてもよい。
【００７０】
幾つかの実施形態では、ノード５００は、セルの表示を一覧にする、メモリ５０７に記憶したリストを含み、公共のユーザ装置がセルへのアクセスが許容されていないことを意味する、固有のアクセス制御を有するセルとして、あるセルを指示することができる。現在の第１のハンドオーバ・アルゴリズムを第２のハンドオーバ・アルゴリズムに変更すべきであるかを判定するため、リストの対応する表示を受信した第３のセルの指示と比較するよう、制御ユニット５０１を構成してもよい。第３のセルへの干渉を防ぐため、第１のセルのユーザ装置を、第１の周波数とは異なる第２の周波数のセルに切り換えるよう、第２のハンドオーバ・アルゴリズムを構成する。
【００７１】
更に、ユーザ装置からの受信データは、第３のセルの信号強度／品質等についての測定レポートを追加的に含んでもよい。無線ユーザ装置が第３のセルにあまりにも近く、従って干渉の危険性があるかを判定するため、信号強度／品質等についての測定レポートを、所定のしきい値値と比較するよう、制御ユニット５０１を構成してもよい。
【００７２】
ユーザ装置を異なる周波数の第２のセルに切り換えるため、ハンドオーバ・アルゴリズムをＩＲＡＴＨＯ又はＩＦＨＯアルゴリズムに変更するよう、制御ユニット５０１を構成してもよい。
【００７３】
メモリ５０７は、内部メモリ、外部メモリ、着脱可能なメモリ等であってもよい。
【００７４】
セル・タイプ又は識別子の指示は、第１スクランブル・コード、セルＩＤ等であってもよい。
【００７５】
決定手順を実行するよう構成したノードは、無線基地局、ＲＢＳ、基地局無線装置、ＢＴＳ、ノードＢ、次世代ノードＢのような基地局等の無線ネットワーク・コントローラ、ＲＮＣ、基地局無線コントローラ、ＢＴＣのような基地局コントローラ等又はそれらの組み合わせであってもよい。
【００７６】
リストは、監視したアクティブ／接続の状態の隣接セルＩＤリスト、ＰＳＣの監視セット等のリストであってもよい。
【００７７】
図７を参照して、実施形態は、アクティブ状態にあるユーザ装置を、第１の周波数の第１のセルから第１の周波数と異なる第２の周波数の第２のセルにハンドオーバするハンドオーバ手順を命じるノードにおける方法に関し、以下のステップを有する。すなわち、ステップ９２では、ユーザ装置から、第１の周波数と同じ第３の周波数の第３のセルに関するデータを受信する。ステップ９４では、受信したデータに基づき、第３のセルがソフト・ハンドオーバを実行できないセルであるかを判定する。そしてその場合には、ステップ９７で、第３のセルとの干渉を防ぐため、ユーザ装置を第２のセルにハンドオーバするようハンドオーバ手順に命じる。
【００７８】
また、第３のセルは、ユーザ装置がアクセスすることを許容されていないセルであるので、実施形態は、ソフト・ハンドオーバを実行できないという方法を開示する。
【００７９】
ハンドオーバ手順を命じるステップ９７は、ユーザ装置が第３のセルの所定範囲内にあるかを判定する、選択が自由な追加のステップ９５を更に備えてもよい。
【００８０】
受信データは、幾つかの実施形態では、第３のセルからの信号の信号強度／品質の指示を含んでもよく、ユーザ装置が第３のセルの所定範囲内にあるかを判定するステップは、受信した信号強度／品質を信号強度／品質の所定のしきい値と比較し、受信した信号強度／品質が所定のしきい値より高いかを判定するステップを含むことができる。
【００８１】
幾つかの実施形態では、受信データは、第３のセルのタイプ又は識別子を指示するデータを含んでもよい。
【００８２】
幾つかの実施形態では、受信データはスクランブル・コードを含んでもよく、本スクランブル・コードをスクランブル・コードの所定の監視セットと比較し、あるスクランブル・コードを使用するセルにアクセスすることをユーザ装置に禁止すると指示するよう、あるスクランブル・コードを設定する。
【００８３】
ハンドオーバを命じるステップ９７は、ハンドオーバ・アルゴリズムを、物理チャネル再構成、無線ベアラ確立、無線ベアラ再構成、無線ベアラ解放、トランスポート・チャネル再構成等の、周波数間ハンドオーバ・アルゴリズムに変更する命令を生成するステップを含むことができる。
【００８４】
ハンドオーバを命令するステップ９７は、幾つかの実施形態では、ハンドオーバ・アルゴリズムを無線アクセス技術間ハンドオーバ・アルゴリズムに変更する命令を生成するステップを含んでもよい。
【００８５】
本方法は、無線通信装置にハンドオーバを命じる前に、セルに測定を実行して第２のセルを評価する、選択が自由なステップ９６を更に有してもよい。
【００８６】
ハンドオーバ手順を命令するステップ９７は、幾つかの実施形態では、コア・ネットワーク及び／又はユーザ装置に命令を送信するステップ９８を有してもよい。
【００８７】
少なくとも、フェムト・レイヤに配分したと同じ周波数を使用するマクロ・セルで、マクロ・セルのためのアクティブな／接続した状態の隣接セル・リストに、フェムト・レイヤに配分したＰＳＣをまた含む方法を、実施形態は開示する。
【００８８】
図６に戻って参照して、本方法を実行するため、ユーザ装置から第３のセルに関するデータを受信する受信ユニット５０３と、受信データに基づいて、第３のセルはユーザ装置のソフト・ハンドオーバを全く実行できないセルであるかを判定するよう構成し、その場合には、第３のセルとの干渉を防ぐため、第１の周波数の第１の現在のセルから、第１の周波数と異なる第２の周波数の第２のセルに、ユーザ装置のハンドオーバを実行する命令を生成するよう更に構成した制御ユニット５０１と、ハンドオーバを実行する命令を送信するよう構成した送信ユニット５０５、５０９とを備える通信ネットワークで通信するよう構成したノード５００を提供する。
【００８９】
無線送信ユニット５０５を通してユーザ装置に、又は送信インタフェース５０９を通してコア・ネットワークに送信するよう、命令を適応させてもよい。
【００９０】
幾つかの実施形態では、セルは、ユーザ装置を許可していないセルであり、従って、ユーザ装置のソフト・ハンドオーバを全く実行できないセルであるかを判定するよう、制御ユニット５０１を構成してもよい。
【００９１】
本受信データは、第３のセルのタイプ又は識別子を指示するデータを含んでもよく、本データに基づき、ユーザ装置は第３のセルにアクセスすることが禁止されており、従って、第３のセルはユーザ装置のソフト・ハンドオーバを全く実行できないセルであるかを判定するよう、制御ユニット５０１を構成してもよい。
【００９２】
受信データがスクランブル・コードを含むようにし、本スクランブル・コードを、ノードのメモリ５０７に記憶したリストのスクランブル・コードの所定の監視セットと比較するよう、制御ユニット５０１を構成してもよい。ここで、少なくとも、リストの一つのスクランブル・コードを設定して、少なくとも一つのスクランブル・コードを使用するセルと、従って、無線ユーザ装置のソフト・ハンドオーバを全く実行できないセルとに、無線ユーザ装置がアクセスすることを禁止されていることを指示する。
【００９３】
更に、ユーザ装置が第３のセル１０の所定範囲内にあり、その場合に、ハンドオーバ命令の生成をトリガすると決定するよう、本ノードの制御ユニット５０１を更に構成してもよい。
【００９４】
受信データは、第３のセルのユーザ装置で実行する測定レポートを含むことができ、受信信号強度を信号強度の所定のしきい値と比較してユーザ装置が第３のセルの近傍にあるかを判定し、本信号が所定のしきい値より強い場合、ユーザ装置が第３のセルの近傍にあると決定するよう、制御ユニット５０１を構成してもよい。
【００９５】
周波数間ハンドオーバ及び／又は無線アクセス技術間ハンドオーバを命じる命令を生成するよう、本制御ユニット５０１を構成する。
【００９６】
ハンドオーバを命じる前に第２のセルの測定値を分析して第２のセルを評価するよう、本制御ユニット５０１を構成してもよい。
【００９７】
ノード５００は、基地局、基地局コントローラ・ユニット、又は、基地局／基地局コントローラの複合機であってもよい。
【００９８】
図面及び明細書に、本発明の典型的な実施形態を開示した。しかし、本発明の原理から実質的に逸脱することなしに、これらの実施形態に多くの変更や修正を行うことが可能である。その結果、特定の用語を採用しているが、それらは一般的及び記述的意味のみで使用しており、制限が目的でなく、本発明の範囲は以下の請求の範囲によって定義される。
【図１】
2011511594.tif 000003
【図２】
2011511594.tif 000004
【図３】
2011511594.tif 000005
【図４】
2011511594.tif 000006
【図５】
2011511594.tif 000007
【図６】
2011511594.tif 000008
【図７】
2011511594.tif 000009
【手続補正書】
【提出日】平成22年9月15日(2010.9.15)
【手続補正１】
【補正対象書類名】特許請求の範囲
【補正対象項目名】全文
【補正方法】変更
【補正の内容】
【特許請求の範囲】
【請求項１】
アクティブ状態にあるユーザ装置を第１の周波数の第１のセルから前記第１の周波数とは異なる第２の周波数の第２のセルにハンドオーバするハンドオーバ手順を命令するための、ノードにおける方法であって、
前記ユーザ装置から、前記第１の周波数と同一の第３の周波数の第３のセルに関するデータを受信するステップ（８２、９２）と、
前記受信したデータに基づいて、前記第３のセルがソフト・ハンドオーバを実行できないセルであるかを判定するステップ（８４，９４）と、
前記第３のセルがソフト・ハンドオーバを実行できないセルである場合は、前記第３のセルとの干渉を防ぐため、前記ユーザ装置を前記第２のセルにハンドオーバするハンドオーバ手順を命令するステップ（８６、９７）と、
を有することを特徴とする方法。
【請求項２】
前記第３のセルは、前記ユーザ装置がアクセスすることを許可されていないセルであるため、ソフト・ハンドオーバが実行できないことを特徴とする請求項１に記載の方法。
【請求項３】
前記ハンドオーバ手順を命令するステップは、前記ユーザ装置が前記第３のセルの所定範囲内にあるかを判定するステップ（９５）を更に有することを特徴とする請求項１又は２に記載の方法。
【請求項４】
前記受信したデータは、前記第３のセルからの信号の信号強度／品質の指示を含み、
前記ユーザ装置が前記第３のセルの所定範囲内にあるかを判定するステップは、前記受信した信号強度／品質を信号強度／品質の所定のしきい値と比較し、該受信した信号強度／品質が前記所定のしきい値より高いかを判定するステップを含む
ことを特徴とする請求項３に記載の方法。
【請求項５】
前記受信したデータは、前記第３のセルのタイプ又は識別子を指示するデータを含むことを特徴とする請求項１乃至４のいずれか１項に記載の方法。
【請求項６】
前記受信したデータはスクランブル・コードを含み、該スクランブル・コードは、スクランブル・コードの所定の監視セットと比較され、特定のスクランブル・コードが設定され、前記ユーザ装置が該特定のスクランブル・コードを用いてセルにアクセスすることが禁止されていることを指示することを特徴とする請求項１乃至５のいずれか１項に記載の方法。
【請求項７】
前記ハンドオーバ手順を命令するステップは、ハンドオーバ・アルゴリズムを、物理チャネル再構成、無線ベアラ確立、無線ベアラ再構成、無線ベアラ解放、トランスポート・チャネル再構成のうちの少なくともいずれかを含む周波数間ハンドオーバ・アルゴリズムに変更する命令を生成するステップを含むことを特徴とする請求項１乃至６のいずれか１項に記載の方法。
【請求項８】
前記ハンドオーバ手順を命令するステップは、ハンドオーバ・アルゴリズムを無線アクセス技術間ハンドオーバ・アルゴリズムに変更する命令を生成するステップを含むことを特徴とする請求項１乃至６のいずれか１項に記載の方法。
【請求項９】
前記ハンドオーバ手順を命令するステップは、コア・ネットワーク及びユーザ装置の少なくともいずれか一方に命令を送信するステップ（９８）を含むことを特徴とする請求項１乃至８のいずれか１項に記載の方法。
【請求項１０】
前記ユーザ装置をハンドオーバする前に前記第２のセルの測定を実行することにより、前記第２のセルを評価するステップを更に有することを特徴とする請求項１乃至９のいずれか１項に記載の方法。
【請求項１１】
通信ネットワークにおいて通信を行うノード（５００）であって、
ユーザ装置から第３のセルに関するデータを受信する受信ユニット（５０３）と、
前記受信したデータに基づいて、前記第３のセルが前記ユーザ装置のソフト・ハンドオーバを実行できないセルであるかを判定し、前記第３のセルが前記ユーザ装置のソフト・ハンドオーバを実行できないセルである場合は、前記第３のセルとの干渉を防ぐため、前記ユーザ装置の、第１の周波数の現在の第１のセルから前記第１の周波数と異なる第２の周波数の第２のセルへのハンドオーバを実行する命令を生成する制御ユニット（５０１）と、
前記ハンドオーバを実行するための前記命令を送信する送信ユニット（５０５、５０９）と、
を備えることを特徴とするノード。
【請求項１２】
前記命令は前記ユーザ装置に送信されることを特徴とする請求項１１に記載のノード。
【請求項１３】
前記命令はコア・ネットワークに送信されることを特徴とする請求項１１に記載のノード。
【請求項１４】
前記制御ユニット（５０１）は、前記セルは前記ユーザ装置が許可されていないセルであり、従って前記ユーザ装置のソフト・ハンドオーバを実行できないセルであると決定することを特徴とする請求項１１乃至１３のいずれか１項に記載のノード。
【請求項１５】
前記受信したデータは、前記第３のセルのタイプ又は識別子を指示するデータを含み、
前記制御ユニット（５０１）は、前記データに基づいて、前記ユーザ装置は前記第３のセルにアクセスすることが禁止され、従って前記第３のセルは前記ユーザ装置のソフト・ハンドオーバを実行できないセルであると決定する
ことを特徴とする請求項１１乃至１４のいずれか１項に記載のノード。
【請求項１６】
前記受信したデータはスクランブル・コードを含み、
前記制御ユニット（５０１）は、前記スクランブル・コードを、前記ノードのメモリ（５０７）に記憶されたリストのスクランブル・コードの所定の監視セットと比較し、前記リストにおける少なくとも１つのスクランブル・コードを設定して、前記ユーザ装置が前記少なくとも１つのスクランブル・コードを使用するセルと、前記ユーザ装置のソフト・ハンドオーバを実行できないセルとにアクセスすることが禁止されていることを指示する
ことを特徴とする請求項１１乃至１５のいずれか１項に記載のノード。
【請求項１７】
前記制御ユニット（５０１）は、更に、前記ユーザ装置が前記第３のセル（１０）の所定範囲内にあるかを判定し、前記ユーザ装置が前記第３のセル（１０）の前記所定範囲内にある場合に、ハンドオーバ命令の生成をトリガすることを特徴とする請求項１１乃至１６のいずれか１項に記載のノード。
【請求項１８】
前記受信したデータは、前記第３のセルのユーザ装置で測定された測定レポートを含み、
前記制御ユニット（５０１）は、前記受信した信号強度を信号強度の所定のしきい値と比較することにより、前記ユーザ装置が前記第３のセルの近傍にあるかを判定し、前記受信した信号強度が前記所定のしきい値よりも強い場合、前記ユーザ装置が前記第３のセルの近傍にあると決定する
ことを特徴とする請求項１１乃至１７のいずれか１項に記載のノード。
【請求項１９】
前記制御ユニット（５０１）は、周波数間ハンドオーバを命じる命令を生成することを特徴とする請求項１１乃至１８のいずれか１項に記載のノード。
【請求項２０】
前記制御ユニット（５０１）は、無線アクセス技術間ハンドオーバを命じる命令を生成することを特徴とする請求項１１乃至１９のいずれか１項に記載のノード。
【請求項２１】
前記制御ユニット（５０１）は、前記ハンドオーバを命令する前に前記第２のセルの測定値を分析することにより前記第２のセルを評価することを特徴とする請求項１１乃至２０のいずれか１項に記載のノード。
【国際調査報告】
2011511594.tif 000010
2011511594.tif 000011
2011511594.tif 000012
2011511594.tif 000013